(57)【要約】【課題】作業が容易に行えかつ簡素化・省スペース化を図ることが可能な止水部形成装置を提供する。【解決手段】止水部形成装置１０は、基台６と、基台６上に互いに間隔をあけて配された一対の電線支持具７と、この電線支持具７によりその長手方向が水平方向になるように位置決めされたワイヤハーネス１に対して互いに接離自在に設けられるとともにこのワイヤハーネス１をその幅方向の中央に位置する電線１ａを最も高くかつその幅方向の端に位置する電線１ａに向かうにしたがって徐々に低くなるようにばらけさせた状態で固定する下型８及び上型１８と、止水材１１を載置した状態でワイヤハーネス１の下面に当接する止水材載置部９と、ワイヤハーネス１の上面との間に止水材１１を位置付けるとともに止水材載置部９との間にワイヤハーネス１を挟み付けて各電線１ａの外周面間に止水材１１を回り込ませる電線束押圧部１９と、を有している。【選択図】図６
2008153092.tif 000002
【特許請求の範囲】
【請求項１】
複数の電線が束ねられた電線束の所定位置における前記各電線の外周面間にパテ状の合成樹脂で構成された止水材を充填して止水部を形成する止水部形成装置であって、
前記電線束をその長手方向が水平になるように位置決めする位置決め手段と、
位置決めされた電線束の前記止水部が形成される箇所の近傍を、該電線束の幅方向の中央に位置する電線を最も高く、かつ、該電線束の幅方向の端に位置する電線に向かうにしたがって徐々に低くなるように固定する固定手段と、
前記電線束の下面の外形に沿った形状に形成されかつ、前記電線束と相対する面に前記止水材を載置した状態で前記電線束の下面と当接する止水材載置部と、
前記電線束の上面の外形に沿った形状に形成されかつ、前記上面に前記止水材が載置された状態の前記電線束を前記止水材載置部との間に挟んで押さえ付けることにより、前記止水材を前記各電線の外周面間に回り込ませる電線束押圧部と、
を有したことを特徴とする止水部形成装置。
【請求項２】
複数の電線が束ねられた電線束の所定位置における前記各電線の外周面間にパテ状の合成樹脂で構成された止水材を充填して止水部を形成する止水部形成装置であって、
前記電線束をその長手方向が水平になるように位置決めする位置決め手段と、
位置決めされた電線束の前記止水部が形成される箇所の近傍を、該電線束の幅方向の中央に位置する電線を最も低く、かつ、該電線束の幅方向の端に位置する電線に向かうにしたがって徐々に高くなるように固定する固定手段と、
前記電線束の下面の外形に沿った形状に形成されかつ、前記電線束と相対する面に前記止水材を載置した状態で前記電線束の下面と当接する止水材載置部と、
前記電線束の上面の外形に沿った形状に形成されかつ、前記上面に前記止水材が載置された状態の前記電線束を前記止水材載置部との間に挟んで押さえ付けることにより、前記止水材を前記各電線の外周面間に回り込ませる電線束押圧部と、
を有したことを特徴とする止水部形成装置。
【請求項３】
前記固定手段、及び前記止水材載置部、及び前記電線束押圧部の前記電線束の幅方向の中央と当接する箇所が曲面に形成されていることを特徴とする請求項１または請求項２に記載の止水部形成装置。
【請求項４】
複数の電線が束ねられた電線束の所定位置における前記各電線の外周面間に止水材を充填して止水部を形成する止水部形成方法であって、
前記電線束をその長手方向が水平になるように位置決めした後、該電線束の前記止水部が形成される箇所の近傍を、該電線束の幅方向の中央に位置する電線を最も高く、かつ、該電線束の幅方向の端に位置する電線に向かうにしたがって徐々に低くなるように固定する電線束固定工程と、
前記電線束の下面の外形に沿った形状に形成されかつ前記電線束と相対する面にパテ状の合成樹脂で構成された前記止水材が載置された止水材載置部を前記電線束の下面と当接させるとともに、前記電線束の上面に前記止水材を載置する止水材載置工程と、
前記電線束を、前記電線束の上面の外形に沿った形状に形成された電線束押圧部と前記止水材載置部との間に挟んで押さえ付けることにより、前記止水材を前記各電線の外周面間に回り込ませる電線束押圧工程と、
前記止水材が充填された前記電線束を断面円形に整形する電線束整形工程と、
を順次有することを特徴とする止水部形成方法。
【発明の詳細な説明】
【技術分野】
【０００１】
本発明は、複数の被覆電線が束ねられた電線束の所定位置に止水部を形成する止水部形成装置及び止水部形成方法に関する（なお、本発明の説明における『止水』は、水の浸入を阻止することに限らず、水、油、アルコール、等を含む液体全般に有効に作用することを意味するが、ここでは一般的に名称として広く用いられている『止水』を用いて説明する。）。
【背景技術】
【０００２】
従来より、自動車の室内から室外へワイヤハーネスを配線するためにグロメットが使用されている。このグロメットは、前記室内と前記室外とを仕切るパネルにワイヤハーネスを通すためのもので、パネルの取付孔に嵌め込んで取付孔を密閉状態に保ちながらワイヤハーネスを貫通させるものである。また、このワイヤハーネスは端末に端子が取り付けられた電線が複数束ねられて構成されたものである。
【０００３】
上記ワイヤハーネスは、毛細管現象等により電線間を伝った液体が前記室内に侵入するおそれがあることから、ワイヤハーネスのグロメットを貫通した箇所に止水部を形成することが一般的に行われている。図９及び図１０は、従来のワイヤハーネスの止水部形成方法を説明するための斜視図である。
【０００４】
図９に示す止水部形成方法（特許文献１を参照。）は、基台１００上に互いに間をあけて配置された一対の電線支持具１０１のＵ字状の電線通し部１０１ｂにワイヤハーネス１０３を通してこのワイヤハーネス１０３をその長手方向が水平になるように位置決めするとともに、一対の電線支持具１０１間に棒状部材１０２を位置付けることにより、このワイヤハーネス１０３の幅方向の中央に空隙を形成して、この空隙の内側及び外側からワイヤハーネス１０３の各電線１０３ａの表面に液状（低粘度）の止水材１０４を塗布する。そして、止水材１０４が塗布されたワイヤハーネス１０３の外周を図示しないシートで巻き締めることによりワイヤハーネス１０３を断面円形に整形し、各電線１０３ａ間に止水材１０４が充填された止水部を形成する。
【０００５】
しかしながら、図９に示した上記止水部形成方法では、液状の止水材１０４を使用することから、この止水材１０４を塗布する際に液垂れした止水材１０４がワイヤハーネス１０３の他部位に付着してしまったり、設備を汚してしまうという問題があった。また、この液状の止水材１０４を塗布するためには専用の止水材塗布装置が必要になり、設備が複雑化・大型化してしまうという問題があった。また、液垂れすることのないパテ状（高粘度）の止水材を用いることも考えられるが、図９に示すようにワイヤハーネス１０３の各電線１０３ａを重力方向に沿って整列させると、パテ状（高粘度）の止水材は下に落ちてしまい、これら電線１０３ａに付着させることができない。
【０００６】
また、図１０に示す止水部形成方法（特許文献２を参照。）は、基台２００上に互いに間をあけて配置された一対の電線固定具２０１間にワイヤハーネス２０３を位置付けるとともにワイヤハーネス２０３の各電線２０３ａを水平方向に整列させて固定し、これらの電線２０３ａの上方から高粘度の止水材２０４を塗布した後、ワイヤハーネス２０３の外周をシート２０５で巻き締めることによりワイヤハーネス２０３を断面円形に整形し、各電線２０３ａ間に止水材２０４が充填された止水部を形成する。
【０００７】
しかしながら、図１０に示した上記止水部形成方法では、ワイヤハーネス２０３の各電線２０３ａをワイヤハーネス２０３の幅方向に沿って水平方向に広げるようにしているので、基台２００上に大きなスペースが必要となり、設備が大型化してしまうという問題があった。また、このワイヤハーネス２０３を重力方向に沿って２段重ねにした場合は、重なり合った電線２０３ａ間に止水材２０４が回り込み難いという問題があった。
【特許文献１】特開２００５−７１７９１号公報
【特許文献２】特開２０００−４８６４９号公報
【発明の開示】
【発明が解決しようとする課題】
【０００８】
したがって、本発明は、作業が容易に行えかつ設備の簡素化・省スペース化を図ることが可能な止水部形成装置及び止水部形成方法を提供することを目的とする。
【課題を解決するための手段】
【０００９】
上述した目的を達成するために、請求項１に記載された発明は、複数の電線が束ねられた電線束の所定位置における前記各電線の外周面間にパテ状の合成樹脂で構成された止水材を充填して止水部を形成する止水部形成装置であって、前記電線束をその長手方向が水平になるように位置決めする位置決め手段と、位置決めされた電線束の前記止水部が形成される箇所の近傍を、該電線束の幅方向の中央に位置する電線を最も高く、かつ、該電線束の幅方向の端に位置する電線に向かうにしたがって徐々に低くなるように固定する固定手段と、前記電線束の下面の外形に沿った形状に形成されかつ、前記電線束と相対する面に前記止水材を載置した状態で前記電線束の下面と当接する止水材載置部と、前記電線束の上面の外形に沿った形状に形成されかつ、前記上面に前記止水材が載置された状態の前記電線束を前記止水材載置部との間に挟んで押さえ付けることにより、前記止水材を前記各電線の外周面間に回り込ませる電線束押圧部と、を有したことを特徴とする止水部形成装置である。
【００１０】
請求項２に記載された発明は、複数の電線が束ねられた電線束の所定位置における前記各電線の外周面間にパテ状の合成樹脂で構成された止水材を充填して止水部を形成する止水部形成装置であって、前記電線束をその長手方向が水平になるように位置決めする位置決め手段と、位置決めされた電線束の前記止水部が形成される箇所の近傍を、該電線束の幅方向の中央に位置する電線を最も低く、かつ、該電線束の幅方向の端に位置する電線に向かうにしたがって徐々に高くなるように固定する固定手段と、前記電線束の下面の外形に沿った形状に形成されかつ、前記電線束と相対する面に前記止水材を載置した状態で前記電線束の下面と当接する止水材載置部と、前記電線束の上面の外形に沿った形状に形成されかつ、前記上面に前記止水材が載置された状態の前記電線束を前記止水材載置部との間に挟んで押さえ付けることにより、前記止水材を前記各電線の外周面間に回り込ませる電線束押圧部と、を有したことを特徴とする止水部形成装置である。
【００１１】
請求項３に記載された発明は、請求項１または請求項２に記載された発明において、前記固定手段、及び前記止水材載置部、及び前記電線束押圧部の前記電線束の幅方向の中央と当接する箇所が曲面に形成されていることを特徴とするものである。
【００１２】
請求項４に記載された発明は、複数の電線が束ねられた電線束の所定位置における前記各電線の外周面間に止水材を充填して止水部を形成する止水部形成方法であって、前記電線束をその長手方向が水平になるように位置決めした後、該電線束の前記止水部が形成される箇所の近傍を、該電線束の幅方向の中央に位置する電線を最も高く、かつ、該電線束の幅方向の端に位置する電線に向かうにしたがって徐々に低くなるように固定する電線束固定工程と、前記電線束の下面の外形に沿った形状に形成されかつ前記電線束と相対する面にパテ状の合成樹脂で構成された前記止水材が載置された止水材載置部を前記電線束の下面と当接させるとともに、前記電線束の上面に前記止水材を載置する止水材載置工程と、前記電線束を、前記電線束の上面の外形に沿った形状に形成された電線束押圧部と前記止水材載置部との間に挟んで押さえ付けることにより、前記止水材を前記各電線の外周面間に回り込ませる電線束押圧工程と、前記止水材が充填された前記電線束を断面円形に整形する電線束整形工程と、を順次有することを特徴とする止水部形成方法である。
【発明の効果】
【００１３】
請求項１に記載された発明によれば、固定手段により、電線束の止水部が形成される箇所の近傍を、電線束の幅方向の中央に位置する電線を最も高く、かつ、電線束の幅方向の端に位置する電線に向かうにしたがって徐々に低くなるように固定することから、この電線束の上面にパテ状の止水材を載置することができるとともに止水材載置部上に載置した止水材を電線束の下面に沿わせることができる。また、このように電線束を３次元的に広げることにより、電線束の表面積を広くすることができかつ作業台の面積を小さくすることができる。そして、パテ状の止水材を使用するので、この止水材が垂れて電線束の他の部位に付着したり設備を汚すことがないとともに、止水材の硬化時間を短縮でき生産性を向上させることができる。また、止水材がパテ状であるので、作業員が手で持って止水材載置部や電線束の上面に載置することができ、複雑な構成の止水材塗布装置を用いる必要がない。また、止水材載置部と電線束押圧部との間に電線束を挟んでこの電線束を押さえ付けることにより、止水材を各電線の外周面間に隙間なく回り込ませることができる。これらのことによって、作業が容易に行えかつ設備を簡素化・省スペース化することができる止水部形成装置を提供することができる。
【００１４】
請求項２に記載された発明によれば、固定手段により、電線束の止水部が形成される箇所の近傍を、電線束の幅方向の中央に位置する電線を最も低く、かつ、電線束の幅方向の端に位置する電線に向かうにしたがって徐々に高くなるように固定することから、この電線束の上面にパテ状の止水材を載置することができるとともに止水材載置部上に載置した止水材を電線束の下面に沿わせることができる。また、このように電線束を３次元的に広げることにより、電線束の表面積を広くすることができかつ作業台の面積を小さくすることができる。そして、パテ状の止水材を使用するので、この止水材が垂れて電線束の他の部位に付着したり設備を汚すことがないとともに、止水材の硬化時間を短縮でき生産性を向上させることができる。また、止水材がパテ状であるので、作業員が手で持って止水材載置部や電線束の上面に載置することができ、複雑な構成の止水材塗布装置を用いる必要がない。また、止水材載置部と電線束押圧部との間に電線束を挟んでこの電線束を押さえ付けることにより、止水材を各電線の外周面間に隙間なく回り込ませることができる。これらのことによって、作業が容易に行えかつ設備を簡素化・省スペース化することができる止水部形成装置を提供することができる。
【００１５】
請求項３に記載された発明によれば、固定手段、及び止水材載置部、及び電線束押圧部の電線束の幅方向の中央と当接する箇所が曲面に形成されていることから、この電線束が傷付くことを防止できる。
【００１６】
請求項４に記載された発明によれば、電線束の止水部が形成される箇所の近傍を、該電線束の幅方向の中央に位置する電線を最も高く、かつ、該電線束の幅方向の端に位置する電線に向かうにしたがって徐々に低くなるように固定することにより、この電線束の上面にパテ状の止水材を載置することができる。また、このように電線束を３次元的に広げることにより、電線束の表面積を広くすることができかつ作業台の面積を小さくすることができる。そして、パテ状の止水材を使用するので、この止水材が垂れて電線束の他の部位に付着したり設備を汚すことがないとともに、止水材の硬化時間を短縮でき生産性を向上させることができる。また、止水材がパテ状であるので、作業員が手で持って止水材載置部や電線束の上面に載置することができ、複雑な構成の止水材塗布装置を用いる必要がない。また、止水材載置部と電線束押圧部との間に電線束を挟んでこの電線束を押さえ付けることにより、止水材を各電線の外周面間に隙間なく回り込ませることができる。これらのことによって、作業が容易に行えるとともに、設備を簡素化・省スペース化することができる。
【発明を実施するための最良の形態】
【００１７】
以下、本発明の一実施の形態に係る電線束の止水部形成装置及び止水部形成方法を図１ないし図８に基づいて詳細に説明する。また、本実施形態では、芯線の外周に絶縁被覆が施された被覆電線１ａ（以下、単に電線と呼ぶ。）が複数束ねられた電線束としてのワイヤハーネス１を例に挙げて説明する。
【００１８】
上記ワイヤハーネス１は、図１に示すように、自動車の室内と室外とを仕切るパネル４の取付孔に装着されたグロメット３の内側を通されている。なお、このグロメット３は、ゴムなどの弾性素材で構成されているとともに、パネル４の取付孔に密着する大径部３ａと、大径部３ａよりも外周が小さく形成された小径部３ｂと、を有し、筒状に形成されている。そして、この小径部３ｂの内周面に上記ワイヤハーネス１の外周面が密着している。
【００１９】
さらに、このワイヤハーネス１の小径部３ｂの内側に位置付けられる箇所には、止水部２が形成されている。この「止水部２」とは、後述の止水部形成装置１０により形成されるとともに、各電線１ａの外周面間に後述の止水材１１が充填された部分を意味する。そして、このように、パネル４の取付孔とグロメット３とが密着し、グロメット３とワイヤハーネス１の止水部２が形成された外周面とが密着し、ワイヤハーネス１の各電線１ａ間が止水部２により止水されていることにより、自動車の室外から室内に水などの液体が侵入することが防止される。
【００２０】
また、本発明の説明における『止水』は、水の浸入を阻止することに限らず、水、油、アルコール、等を含む液体全般に有効に作用することを意味するが、ここでは一般的に名称として広く用いられている『止水』を用いて説明する。
【００２１】
続いて、上記止水部２を形成する止水部形成装置１０について説明する。止水部形成装置１０は、図２ないし図８に示すように、中央に貫通孔６ａが形成された板状の基台６と、位置決め手段としての一対の電線支持具７と、固定手段としての下型８及び上型１８と、止水材載置部９と、電線束押圧部１９と、を有している。
【００２２】
上記一対の電線支持具７は、直線状に延びた直線部７ａと、直線部７ａの一端に連なりかつＵ字状に形成された電線支持部７ｂと、を有している。この直線部７ａの電線支持部７ｂから離れた他端は基台６に固定されている。これら一対の電線支持具７は、互いの間に貫通孔６ａを位置付ける位置に配されており、図１に示すように、それぞれの電線支持部７ｂにワイヤハーネス１を通すことにより、このワイヤハーネス１をその長手方向が水平になるように位置決めする。
【００２３】
上記下型８は、板状に形成されかつ、貫通孔６ａの内側に位置付けられているとともに、この貫通孔６ａを通って基台６の下方から上方に亘って鉛直方向に沿って昇降自在に設けられている。また、この下型８は、その幅方向が上記一対の電線支持具７により位置決めされたワイヤハーネス１の幅方向と平行になり、その長手方向がワイヤハーネス１の長手方向と直交する向きで配されている。また、この下型８は、基台６寄りに位置する長手方向の一端の形状が、幅方向の中央が高く、幅方向の端に向かうにしたがって徐々に低くなる先細状に形成されている。さらに、この下型８の一端の中央８ａは、丸みを持った曲面に形成されている。
【００２４】
また、本明細書において「高い」とは重力方向の上側を意味し、「低い」とは重力方向の下側を意味している。また、図２ないし図８においては、紙面上の上側が重力方向の上側にあたり、紙面上の下側が重力方向の下側にあたる。
【００２５】
上記上型１８は、上記下型８の上方に配されているとともに、上述した下型８の長手方向の一端の外形に応じた形状、即ち幅方向の中央が高く、幅方向の端に向かうにしたがって徐々に低くなる平面視逆Ｖ字状、に形成されている。この上型１８の下型８と相対する面の幅方向中央１８ａは、丸みを持った曲面に形成されている。このような上型１８は、ロボットアーム２８の先端に連結されており、あらゆる方向に移動自在に設けられている。
【００２６】
上述した下型８及び上型１８は、一対の電線支持具７により位置決めされたワイヤハーネス１から離れた位置と、該ワイヤハーネス１に当接する位置と、に亘って移動する。そして、ワイヤハーネス１に当接することにより、図４などに示すように、束ねられた複数の電線１ａをこれら下型８及び上型１８の表面形状に沿ってばらけさせるとともに、下型８と上型１８との間にこれら複数の電線１ａを挟むことによりこれらを固定する。また、ワイヤハーネス１と当接する下型８の中央８ａ及び上型１８の中央１８ａは、上述したように曲面に形成されているので電線１ａを傷付けることがない。
【００２７】
上記止水材載置部９は、平面形状が上記下型８とほぼ同一形状に形成されている。即ち、下型８及び上型１８により固定されたワイヤハーネス１の下面の外形に沿った形状に形成されている。また、止水材載置部９は、貫通孔６ａの内側に位置付けられているとともに、一対の電線支持具７により位置決めされたワイヤハーネス１の長手方向に沿って下型８と並べられて下型８の近傍に設けられている。また、止水材載置部９は、下型８と同様に貫通孔６ａを通って基台６の下方から上方に亘って鉛直方向に沿って昇降自在に設けられている。さらに、この止水材載置部９の長手方向の一端の中央９ａは、丸みを持った曲面に形成されている。
【００２８】
上記電線束押圧部１９は、上記止水材載置部９の上方に配されているとともに、平面形状が上記上型１８とほぼ同一形状に形成されている。即ち、下型８及び上型１８により固定されたワイヤハーネス１の上面の外形に沿った形状に形成されている。この電線束押圧部１９の止水材載置部９と相対する面の幅方向中央１９ａは、丸みを持った曲面に形成されている。このような電線束押圧部１９は、ロボットアーム２９の先端に連結されており、あらゆる方向に移動自在に設けられている。
【００２９】
上述した止水材載置部９及び電線束押圧部１９は、下型８及び上型１８により固定されたワイヤハーネス１から離れた位置と、該ワイヤハーネス１に当接する位置と、に亘って移動する。そして、止水材載置部９及び電線束押圧部１９は、互いの間にワイヤハーネス１を挟んでこのワイヤハーネス１を押さえ付けることにより、止水材載置部９及び電線束押圧部１９とワイヤハーネス１との間にそれぞれ位置付けられた止水材１１（図６を参照。）を各電線１ａの外周面間に回り込ませる。また、ワイヤハーネス１と当接する止水材載置部９の中央９ａ及び電線束押圧部１９の中央１９ａは、上述したように曲面に形成されているので電線１ａを傷付けることがない。
【００３０】
また、本発明の止水材１１は、ポリウレタン樹脂などの合成樹脂、または高粘度のシリコーン樹脂で構成されており、上述したように固定されたワイヤハーネス１の電線１ａ間に充填する時点では、パテ状である。また、この止水材１１は、図示しないディスペンサーから押出された状態ではヒモ状の外形をなしており、作業員が手で持つことが可能である。また、この止水材１１は、時間の経過により硬化する性質を有している。
【００３１】
続いて、上述した構成の止水部形成装置１０を用いてワイヤハーネス１に止水部２を形成する方法を説明する。
【００３２】
まず、図２に示すように、下型８及び止水材載置部９を基台６の下方に位置付けるとともに、上型１８及び電線束押圧部１９を基台６から離れた位置に位置付ける。この状態で一対の電線支持具７の電線支持部７ｂそれぞれにワイヤハーネス１を通すことにより、このワイヤハーネス１をその長手方向が水平になるように位置決めする。
【００３３】
そして、図３に示すように、下型８をワイヤハーネス１に向かって上昇させるとともに、複数の電線１ａが束ねられたワイヤハーネス１を下型８の表面形状に沿って、ワイヤハーネス１の幅方向の中央に位置する電線１ａを最も高く、かつ、ワイヤハーネス１の幅方向の端に位置する電線１ａに向かうにしたがって徐々に低くなるようにばらけさせる。
【００３４】
そして、図４に示すように、上型１８をワイヤハーネス１及び下型８に向かって下降させるとともに、下型８との間にワイヤハーネス１を挟んでこのワイヤハーネス１を固定する（特許請求の範囲に記載した電線束固定工程に相当する。）。
【００３５】
そして、図５に示すように、外形がヒモ状に形成されたパテ状の止水材１１を、止水材載置部９の長手方向の一端、即ちワイヤハーネス１の下面と相対する面、に載置する。そして、この止水材載置部９を図６に示すように、ワイヤハーネス１に向かって上昇させることにより載置された止水材１１をワイヤハーネス１の下面に沿わせるとともに、ワイヤハーネス１の上面に新たな止水材１１を載置する（特許請求の範囲に記載した止水材載置工程に相当する。）。また、この止水材１１の載置作業は作業員の手作業により行う。
【００３６】
そして、図７に示すように、電線束押圧部１９をワイヤハーネス１及び止水材載置部９に向かって下降させるとともに、止水材載置部９との間にワイヤハーネス１及び止水材１１を挟んでこのワイヤハーネス１を押さえ付けることにより、止水材１１を各電線１ａの外周面間に回り込ませる（特許請求の範囲に記載した電線束押圧工程に相当する。）。
【００３７】
そして、図８に示すように、下型８及び止水材載置部９を基台６の下方に下降させるとともに、上型１８及び電線束押圧部１９を基台６から離れた位置に上昇させた後、ワイヤハーネス１の止水材１１が充填された箇所の外周を合成樹脂製のシート１２で巻き締めることによりワイヤハーネス１を断面円形に整形する（特許請求の範囲に記載した電線束整形工程に相当する。）。
【００３８】
その後、所定の時間を置くことにより、各電線１ａ間に回り込んだ止水材１１が硬化し、図１に示された止水部２となる。
【００３９】
本実施形態によれば、下型８及び上型１８により、ワイヤハーネス１の止水部２が形成される箇所の近傍を、ワイヤハーネス１の幅方向の中央に位置する電線１ａを最も高く、かつ、ワイヤハーネス１の幅方向の端に位置する電線１ａに向かうにしたがって徐々に低くなるように固定することから、このワイヤハーネス１の上面にパテ状の止水材１１を載置することができるとともに止水材載置部９上に載置した止水材１１をワイヤハーネス１の下面に沿わせることができる。また、このようにワイヤハーネス１を３次元的に広げることにより、ワイヤハーネス１の表面積を広くすることができかつ基台６の面積を小さくすることができる。そして、パテ状の止水材１１を使用するので、この止水材１１が垂れてワイヤハーネス１の他の部位に付着したり基台６などを汚すことがないとともに、止水材１１の硬化時間を短縮でき生産性を向上させることができる。また、止水材１１がパテ状であるので、作業員が手で持って止水材載置部９やワイヤハーネス１の上面に載置することができ、複雑な構成の止水材塗布装置を用いる必要がない。また、止水材載置部９と電線束押圧部１９との間にワイヤハーネス１を挟んでこのワイヤハーネス１を押さえ付けることにより、止水材１１を各電線１ａの外周面間に隙間なく回り込ませることができる。これらのことによって、止水部形成作業が容易に行えるとともに、止水部形成装置１０を簡素化・省スペース化することができる。
【００４０】
また、上述した実施形態で説明した止水部形成装置１０は、幅方向の中央が高く、幅方向の端に向かうにしたがって徐々に低くなる先細状に形成された下型８及び止水材載置部９と、これらの形状に対応した上型１８及び電線束押圧部１９と、を有した構成であったが、本発明の止水部形成装置は、幅方向の中央が低く、幅方向の端に向かうにしたがって徐々に高くなる谷状に形成された下型及び止水材載置部と、これらの形状に対応した上型及び電線束押圧部と、を有した構成であっても良い。
【００４１】
また、上述した実施形態で説明した止水部形成装置１０は、固定手段としての下型８及び上型１８を一対のみ有していたが、本発明の止水部形成装置は、例えば止水部２が形成される箇所を間に挟んで固定手段としての下型８及び上型１８を二対有していても良く、これらを二対以上有した構成であっても良い。
【００４２】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４３】
【図１】本発明の一実施の形態に係る止水部形成装置により止水部が形成された電線束としてのワイヤハーネスが自動車のパネルに装着されたグロメットに通されている様子を示す断面図である。
【図２】本発明の一実施の形態に係る止水部形成装置を示す斜視図であり、複数の電線が束ねられたワイヤハーネスが、位置決め手段により位置決めされた状態を示す図である。
【図３】図２に示された止水部形成装置の固定手段としての下型がワイヤハーネスの下面に当接し、このワイヤハーネスをばらけさせた状態を示す斜視図である。
【図４】図３に示された止水部形成装置の固定手段としての上型がワイヤハーネスの上面に当接し、このワイヤハーネスを固定した状態を示す斜視図である。
【図５】図４に示された止水部形成装置の止水材載置部に止水材が載置された状態を示す斜視図である。
【図６】図５に示された止水部形成装置の止水材載置部がワイヤハーネスの下面に当接するとともに、このワイヤハーネスの上面に止水材が載置された状態を示す斜視図である。
【図７】図６に示された止水部形成装置の電線束押圧部がワイヤハーネスの上面に当接し、このワイヤハーネスを止水材載置部との間に挟み付けた状態を示す斜視図である。
【図８】図７に示された止水部形成装置の電線束押圧部により各電線間に止水材が充填されたワイヤハーネスを断面円形になるように整形している状態を示す斜視図である。
【図９】従来のワイヤハーネスの止水部形成方法を説明するための斜視図である。
【図１０】従来のワイヤハーネスの他の止水部形成方法を説明するための斜視図である。
【符号の説明】
【００４４】
１  ワイヤハーネス（電線束）
１ａ  電線
２  止水部
７  電線支持具（位置決め手段）
８  下型（固定手段）
９  止水材載置部
１０  止水部形成装置
１１  止水材
１８  上型（固定手段）
１９  電線束押圧部
【図１】
2008153092.tif 000003
【図２】
2008153092.tif 000004
【図３】
2008153092.tif 000005
【図４】
2008153092.tif 000006
【図５】
2008153092.tif 000007
【図６】
2008153092.tif 000008
【図７】
2008153092.tif 000009
【図８】
2008153092.tif 000010
【図９】
2008153092.tif 000011
【図１０】
2008153092.tif 000012